(57)【要約】進行するストリップ（２１）に編成された胞状部（２２）へ錠剤や丸薬を連続的に移送して配置するために働き、当該ストリップ（２１）の進行によって当該胞状部（２２）が、分配ディスク（２３）の径方向に通常配設される孔（２４）と随時同調する分配ユニットになされた改良。上記分配ディスクは基準点設定手段（４１）を有し、中間手段（２５）を介して回転動作供給手段（３０；３８，３９）に結び付けられる。上記中間手段（２５）は上記分配ディスク（２３）と安定に連結される一方で当該動作供給手段（３８，３９）とは着脱自在に連結される。
2013523539.tif 000002
【特許請求の範囲】
【請求項１】
進行するストリップ（２１）に編成された胞状部（２２）へ錠剤や丸薬を連続的に移送して配置するために働き、当該ストリップ（２１）の進行によって当該胞状部（２２）は分配ディスク（２３）の径方向に配設される孔（２４）と随時同調し、当該分配ディスクは基準点設定手段（４１）を有する精密分配ユニット（１０）において、
上記分配ディスク（２３）は、中間手段（２５）を介して回転動作供給手段（３０；３８，３９）に結び付けられ、
上記中間手段（２５）は、上記分配ディスク（２３）と安定に連結される一方で当該動作供給手段（３０；３８，３９）とは着脱自在に連結されることを特徴とする精密分配ユニット。
【請求項２】
請求項１に記載のユニットにおいて、
上記中間手段（２５）と上記回転動作供給手段（３０；３８，３９）との相互の同軸度を維持する標準手段（３４，１３４）を備えていることを特徴とする精密分配ユニット。
【請求項３】
請求項１に記載のユニットにおいて、
上記分配ディスク（２３）と上記中間手段（２５）とを安定に連結する手段は、
少なくとも１つの芯出し手段（２７）、及び／又は水平保持手段（２６−１２６）、及び／又は円周方向位置決め手段（２８）を含み、軸方向位置決め手段（４３）とも協働することを特徴とする精密分配ユニット。
【請求項４】
請求項１に記載のユニットにおいて、
上記分配ディスク（２３）と上記中間手段（２５）とを安定に連結する手段は、
水平保持手段（２６−１２６）と、
Ｔ字形状を有し雌雄接合される芯出し及び位置決め手段（３４，１３４）とを有することを特徴とする精密分配ユニット。
【請求項５】
請求項１に記載のユニットにおいて、
上記動作供給手段（３０；３８，３９）に着脱自在に連結される手段は、
回転軸を含む少なくとも１つの支持面（３１）と、
芯出し及び位置決め手段（３４，１３４）と、
そして軸方向位置決め手段（４３）と協働する移動可能な取り付け手段（３２）とを備えていることを特徴とする精密分配ユニット。
【請求項６】
請求項２に記載のユニットにおいて、
上記標準手段は、Ｔ字形状を有する芯出し及び位置決め手段（３４，１３４）であることを特徴とする精密分配ユニット。
【請求項７】
特定の円周に沿って径方向に配設され、必要に応じて編成されて特定される複数の孔（２４）を有し、位置を検出して基準点設定を行う手段（４１）と結び付けられた、請求項１から６のいずれか１つに記載の精密分配ユニットに用いられる分配ディスクであって、
上記分配ディスク（２３）は、中間連結手段（２５）に安定した方法で一時的に結合され、
上記分配ディスク（２３）は、芯出し手段（２７）、及び／又は水平保持手段（２６）、及び／又は円周方向位置決め手段（２８）を有し、又はこれらと協働することを特徴とする分配ディスク。
【請求項８】
特定の円周に沿って径方向に配設され、必要に応じて編成されて特定される複数の孔（２４）を有し、位置を検出して基準点設定を行う手段（４１）と結び付けられた、請求項１から６のいずれか１つに記載の精密分配ユニットに用いられる分配ディスクであって、
上記分配ディスク（２３）は、中間連結手段（２５）に安定した方法で一時的に結合され、 
上記分配ディスク（２３）は、水平保持手段（２６）を有し、雌部であるＴ字形状を有する芯出し及び位置決め手段（３４，１３４）に結合されることを特徴とする分配ディスク。
【請求項９】
請求項７に記載の分配ディスクにおいて、
上記芯出し手段（２７）は雌雄接合型であることを特徴とする分配ディスク。
【請求項１０】
請求項７に記載の分配ディスクにおいて、
上記位置決め手段（２８）は、適切な収容部を有する少なくとも１つのピン又はキーからなることを特徴とする分配ディスク。
【請求項１１】
請求項７から１０のいずれかに記載の分配ディスクにおいて、
上記水平保持手段（２６）は、上記分配ディスク（２３）の配置面と回転面が、上記ベルト部（２１）がスライド移動する平面、及び当該ストリップ（２１）自身と平行であることを維持する、少なくとも１つの支持面からなることを特徴とする分配ディスク。
【請求項１２】
請求項７から１１のいずれかに記載の分配ディスク（２３）と結び付けられるに適した、請求項１から６のいずれかに記載の精密分配ディスクに用いられる中間手段であって、
上記中間手段は雌雄接合型である芯出し手段（２７）を備えることを特徴とする中間手段。
【請求項１３】
請求項１２に記載の中間手段において、
上記中間手段は軸方向位置決め手段（４３）を備えることを特徴とする中間手段。
【請求項１４】
請求項１２又は１３に記載の中間手段において、
上記中間手段は平面支持手段（３１，１２６）を備えることを特徴とする中間手段。
【請求項１５】
請求項１２から１４のいずれかに記載の中間手段において、
上記中間手段は、適切な収容部を備えた少なくとも１つのピン及び／又はキーからなる位置決め手段（２８）を有することを特徴とする中間手段。
【請求項１６】
請求項１２から１５のいずれかに記載の中間手段において、
上記中間手段は、回転動作供給手段（３０；３８，３９）との相互の同軸度を維持する標準手段（３４，１３４）を備えていることを特徴とする中間手段。
【請求項１７】
請求項１６に記載の中間手段において、
上記標準手段は、Ｔ字形状を有する芯出し及び位置決め手段（３４，１３４）を備えていることを特徴とする中間手段。
【請求項１８】
請求項１４に記載の中間手段において、
上記平面支持手段（３１，１２６）は、回転軸（２９）と協働することを特徴とする中間手段。
【請求項１９】
請求項１６に記載の中間手段において、
上記標準手段は、少なくとも２つのピン（３５）を有する芯出し及び位置決め手段（３４）であることを特徴とする中間手段。
【請求項２０】
請求項１６に記載の中間手段において、
上記標準手段は、少なくとも１つの較正キーを有することを特徴とする中間手段。
【請求項２１】
請求項１６に記載の中間手段において、
上記標準手段は、孔（４５）を有する芯出し及び位置決め手段（３４，１３４）であることを特徴とする中間手段。
【請求項２２】
請求項１２から２１に記載のいずれかに記載の中間手段において、
上記中間手段は、動作供給手段（３０）の一部である中間部材（３８）に、安定かつ精密な方法で一時的に連結されることを特徴とする中間手段。
【発明の詳細な説明】
【技術分野】
【０００１】
本発明は、分配ユニット及び従来の精密分配ユニットの改良技術に関する。本発明は、特にコンパクト型の分配ユニットに対して適用されるものであるが、その用途をこれに限るものではない。
【０００２】
本発明が言及する分配ユニットは、進行するストリップに予め配置された適切な胞状部（alveoli）や収容部へ、様々な形状と大きさを有する錠剤や丸剤、或いは他の類似した製品を絶え間なく分配すると共に配置する工業的用途に使用される。
【背景技術】
【０００３】
分配ユニットは公知であり、コンパクト型の分配ユニットもまた公知である。これらは、例えば製薬業や食品業、或いは同様のニーズを持ったその他の業種のために、錠剤や丸剤をブリスター型の包装資材へと配置する際に用いられる。
【０００４】
上記分配ユニットは、上記錠剤に適した収容部を有する進行するストリップへ、
錠剤を放出する動作が同期するように予め適切に制御された分配ディスクを用
いる。
【０００５】
以後の記載において、錠剤という単語には、丸剤と、カプセル剤、及びその他の類似した又は同等の種別若しくは大きさを有す製品が含まれるとする。
【０００６】
また、コンパクトな分配ユニットという単語は、例えば特許文献１に記載されている様な、コンパクトな形状を有するユニットを意味する。
【先行技術文献】
【特許文献】
【０００７】
【特許文献１】国際公開第２００９／１１５４４５号A１
【発明の概要】
【発明が解決しようとする課題】
【０００８】
こうしたユニットは、通常の整備に要する介入時間の削減と、錠剤に最短の経路を移動させることによる摩耗の可能な限りの低減と、そしてユニットの大きさと消費エネルギーの低減を目的とし、相当数の生産量を維持すべく、幅広い種類又は形状を有する錠剤に対して動作するように研究開発されている。
【０００９】
こうした特徴ゆえに、基本的な調節が長期間に渡って安定した状態を保たなければならないし、生産工程へ与える影響を微小とすべく、定期的な調節（例えば定期的な基準点設定（zero setting means））は、それ以上の制御と調整作業を行わずとも実行される必要がある。
【００１０】
コンパクト型の分配ユニットにおいては、ユニットが占める大きさの低減と、微調整のための介入、調節、そして制御を短時間で実行することを両立するのは、予めプラグラムでもされていない限り、難しい。
【００１１】
従って、コンパクト型のユニットには、そうした特徴ゆえに、正確な動作を可能とし、生産能力を維持し、そして起動も容易かつ迅速に行えるという目的を果たすべく、新しい方法で構成要素を着想し作り出す必要がある。
【００１２】
多数の新しい解決策、即ち、異なる方法で着想と適用がなされた解決策を、長期に渡って試験及び実験した末に、本出願人は、特別な基準点設定の制御を必要とせずとも、分配ディスクを容易に取り外しかつ迅速で安全に交換することが依然として可能でありながら、一定の高い性能は言うまでもなく、機能性と効率性とを備え、さらには整備の手間をも削減した、本発明に係る分配ユニットを作る着想の完成に至った。
【００１３】
特に、本出願人は、分配ディスクが迅速かつ容易に交換されなければならないと同時に、特別の注意や一定の介入をせずとも、単に自動的に基準点再設定される毎の応答が一定であるだけではなく、平面性や、高さ方向の位置決め、微調整作業の所要時間、そして基準点設定が一定であるという特徴を維持していなければならないことを見出した。常にというわけではないが、通常このようなユニットにおいては、基準点再設定は電動式であるということには留意しなければならない。
【００１４】
基準点再設定とは、分配ディスクと協働し同調する他の構成要素に対する、分配ディスクの、時間及び位置の調整や、初期状態における相互位置の位置決めを意味する。
【００１５】
問題となっている型の分配ディスクには、円周方向に複数の列を成す孔が備えられている。編成され、かつ予め適切に配置された孔は、取り扱われる錠剤の形状に応じた形状と大きさを有する。編成された孔は、分配ディスク上に放射状に配列されている。
【００１６】
電気的な基準点設定の場合、即ち電気システムを用いた時間及び位置の調整の場合は、ディスクは通常、ある円周方向に沿って、特定の時刻におけるディスクの位置の検出を可能とする手段を有する。この手段は、例えば穴部、突起部、楔部などであってもよい。
【００１７】
基準点設定の手段は、錠剤の一時的な収容部として編成された孔と、幾何学的に相似になるような比率で備えられる。それゆえ、こうした構成の場合には、基準点設定の手段となる孔の位置が、錠剤を一時的に収容するための孔による、放射方向に編成された列の位置決めとなる。
【００１８】
従って、本出願人は、起動の度に通常は機械的に実行される上述の自動的な基準点再設定は別として、分配ディスクの迅速な取り付けと取り外し作業を、それ以上の設定と調節をせずとも可能とする、分配ディスクに連結されたシステムの実現を目標とした。
【００１９】
分配ディスクは、錠剤が載置される収容部や胞状部が表面上に形成されたストリップによる直線上の進行と、同調する速度でモーター部材により回転するように製作されている。
【００２０】
ストリップには、予め定められた方法で、胞状部やブリスター部が配列される連続的な区分が編成されている。
【００２１】
調整は、分配ディスクに存在する一時的な収容部の位置が、進行するストリップに存在する胞状部と、随時一致することを必要とする。
【００２２】
必須ではないが、モーター部材が分配ディスクに振動機能も付与するようにしていれば、分配ディスクは分配ディスク上に編成された孔に錠剤を正確に配置するという用途にも寄与するため、有益となる。さらに、錠剤の大きさに拘わらず、分配ディスク自身も、胞状部を含む上記ストリップに対して、正確かつ望ましい精度で、同一平面上に位置決めされなければならない。
【００２３】
加えて、分配ディスクが置き換えられた後、動作をもたらす軸は、基準点再設定を成し遂げる働きをする標準手段に対して、正確に位置決めされなければならない。
【００２４】
このことは、分配ディスクの置換作業において、その度毎に必ず、胞状部を含むストリップと分配ディスクに動作をもたらす部材の両者に対してディスクが正確に位置決めされることが、常に、そしてあらゆる場合において、維持されなければならないことを意味する。
【００２５】
本発明は、こうした問題の全てと後述される他の問題を解決し、迅速かつ正確であると同時に、基準点設定は別として、それ以上の微調整を必要とせずとも、分配ディスクの正しい位置決めを可能とする分配ディスクの置換を達成し得る提案を行う。
【００２６】
本出願人は、上述の従来技術の問題点を克服しこれら及びその他の目的及び利点を得るために、本発明を発案、試験及び具体化した。
【課題を解決するための手段】
【００２７】
本発明は、独立請求項に記載されると共に特徴付けられ、従属請求項において本発明の他の特徴或いは主な発明の趣旨についての変形例が記載されている。
【００２８】
本発明に係る精密分配ユニットは、当該ユニットがコンパクトであるか否かを問わず、進行するストリップに編成された胞状部に、錠剤や丸剤、或いは類似した製品を、絶え間なく移送すると共に配置することに適している。ストリップの進行によってもたらされる胞状部は、通常は分配ディスクに放射状に編成されて配設される孔と随時同調する。分配ディスクは、これと協働し同調する他の構成要素に対する、分配ディスクの時間及び位置の調整や、初期状態における相互位置の位置決めに適した基準点設定手段を有する。  
【００２９】
分配ディスクは、回転動作供給手段によって回転するように製作されている。回転動作供給手段と分配ディスクの間には、お互いに独立した１種又は数種の要素からなり、分配ディスクの迅速な取り外しや取り付けを可能とする、中間連結手段が存在する。
【００３０】
上記中間連結手段は、分配ディスクに安定に連結される一方で、回転動作供給手段には着脱自在に連結されている。
【００３１】
本発明によると、通常用いられる取り付け手段（例えばねじ）と同様に、分配ディスクを中間手段に一体となるように取り付けるための、芯出し手段も備えられている。
【００３２】
上記芯出し手段によって、分配ディスクは中間手段に対して所望かつ一定の位置に束縛される。この所望かつ一定の位置とは、分配ディスクと中間手段の同軸度が維持され、動作供給手段を通じて中間手段にもたらされる動作が分配ディスクと同軸となる位置を指す。
【００３３】
１つの変形例によれば、回転軸に直交する平面上を分配ディスクが回転することを維持する、水平保持手段が存在する
特に、水平保持手段は、分配ディスクの回転軸が、分配ディスクの回転面と完全に直交することを維持する働きをする。
【００３４】
さらなる変形例においては、 分配ディスクの中間手段に対する正確な位置決めに寄与する位置決め手段が備えられる。
【００３５】
この位置決め手段は、分配ディスク（の錠剤を一時的に収容する孔の径方向の位置）と中間手段との相互位置が寸分違わず一定であることを維持する働きをする。
【００３６】
１つの変形例によれば、ディスクがストリップに対して、所望で必要とされる垂直方向の位置に常にあることを維持する、軸方向位置決め手段も備えられる。
【００３７】
他の変形例によれば、ディスクが回転軸に直交する１つの平面上を回転し、分配ディスクが胞状部を含むストリップに対して所望で必要とされる垂直方向の位置に自身を位置決めし、分配ディスクの回転軸と動作供給手段の回転軸とが一致し、そして分配ディスクに編成された一連の孔が中間手段に対して所望の幾何学的手法で位置決めされることが維持されるように、この水平保持手段は、位置決め手段、芯出し手段、軸方向位置決め手段のうちの１つ以上と結び付けることが出来る。
【００３８】
本発明によると、中間手段は動作供給手段に着脱自在に、ただし標準手段を介して連結される。この標準手段は、相互の同軸度を維持し、側面方向と角度方向の両方又はいずれか一方への傾きを阻止し、水平保持手段と協働し、分配ディスクの垂直方向の正確な位置決めと分配ディスクの動作供給手段に対する同軸度の両者を維持する。
【００３９】
１つの変形例によれば、中間手段は、胞状部を保持するストリップに対して、分配ディスクが垂直方向に望ましく正確な位置にあることを維持する、垂直方向位置決め手段を有する。
【００４０】
１つの変形例によれば、動作供給部材が、モーター手段と中間手段とを仲介する中間部材となる。
【００４１】
本変形例においては、動作供給部材は、中間手段を連結する連結手段の垂直方向の位置決めだけではなく、正確な同軸度も維持する手段によって、モーター手段に連結されなければならない。
【００４２】
これは、正確な同軸度を維持する手段は、上記の条件を維持する、支持手段及び芯出し手段を有してなければならないことを意味する。
【００４３】
さらなる変形例によれば、自動的な基準点再設定の正確さを維持するために、動作供給部材とモーター手段との間に、一連の動作を幾何学的に位置決めする、角度方向の相互位置決め手段が備えられている。
【００４４】
さらなる変形例によれば、動作供給部材が中間手段に、ねじ又は他の迅速で容易に取替え可能な手段で有益となるように連結されている。
【図面の簡単な説明】
【００４５】
【図１】図１は、公知であるコンパクト型の分配ユニットを示す。
【図２】図２は、分配ディスクに動作を供給する機構の垂直方向の部分断面図を概略的に示す。
【図３ａ】図３ａは、標準手段を示す。
【図３ｂ】図３ｂは、異なる型の標準手段を示す。
【図３ｃ】図３ｃは、異なる型の標準手段を示す。
【図４ａ】図４ａは、実施可能な中間手段を示す。
【図４ｂ】図４ｂは、図４ｃの中間手段の底面図を示す。
【図４ｃ】図４ｃは、図４ａと図４ｂの中間手段の断面図を示す。
【図５】図５は実施可能な分配ディスクを示す。
【発明を実施するための形態】
【００４６】
１例として、上記添付図面を用いて特定の実施形態を参照し、本発明のこれら及びその他の特徴を詳細に説明する。
【００４７】
図１によると、国際公開第２００９／１１５４４５号Ａ１に示されて説明されている型に例示される様な、分配ディスク２３を備えたコンパクト型の分配ユニット１０が示されている。
【００４８】
以下の説明は、コンパクト型の分配ユニットの場合についての説明であるが、通常の型の分配ユニットについても及び得る。
【００４９】
分配ディスク２３は、複数の胞状部２２を有すストリップ２１と協働し、ストリップ２１が矢印Ａに沿って進行して分配ディスク２３を通過した後には、胞状部２２（alveoli）は錠剤で満たされる（２２ｐ）。
【００５０】
図１から見て取れるように、ユニット１０は非常にコンパクトであり、その結果ユニットが占める容積は低減され、錠剤の移動距離は最短となり、錠剤の摩耗を可能な限り低減することが出来る。一時的な位置決めを行う適切な手段（Ｐ）によって、分配ディスク２３の交換作業は容易になる。
【００５１】
図２はストリップの案内機構２０の垂直断面図を概略的に示す。胞状部２２が構成されたストリップ２１には、案内機構２０上の、矢印Ａに沿った方向へのスライド移動が、公知の方法によってもたらされる。分配ディスク２３は、錠剤を一時的に収容するために編成された孔２４を有し、ストリップ２１の進行と同調するように回転する。その結果、編成された孔２４の径方向の並びと、胞状部２２は、一定の周期で所望の相互位置に位置付けられる。このようにして、錠剤は分配ディスク２３の下流に当たる胞状部２２に配置され、胞状部２２は錠剤２２ｐで満たされる。
【００５２】
胞状部２２の大きさと並びに応じて、分配ディスク２３は低速又は高速で回転する。
【００５３】
分配ディスク２３には基準点設定手段４１（zero setting means）が備えられる。この場合、基準点設定手段４１は、円周方向に配置された穴部であり（図５参照）、ディスク２３の位置の感知と、時間及び位置の調整、そして基準点設定に用いられる。しかし、手段４１は様々な形態をとることが可能である。
【００５４】
分配ディスク２３は、標準的なねじ（図示せず）によってボルト穴４４と協働して、中間連結手段２５に一体となるように取り付けられる。そして以下でより詳細に説明されるように、中間手段２５の働きによって、分配ディスク２３は、一般的には図２の符号３０に示される回転動作供給手段に着脱自在に連結される。
【００５５】
標準的なねじによって分配ディスク２３が中間手段２５に一体となるように取り付けられるが、このねじによる取り付けでは、相互の位置決めが正確で一定であることが維持されない。
【００５６】
必ずしもというわけではないが、一般的に分配ディスク２３は、大きな厚みがなく、２ミリメートル又は３ミリメートル程の厚みしかないことに留意すべきである。
【００５７】
ディスク２３とストリップ２１の比が正確であることを維持するために、支持面を有する水平保持手段２６−１２６が備えられる。水平保持手段２６−１２６によって、分配ディスク２３の配置面と回転面が、ストリップ２１がスライド移動を行う平面２１と平行であり、それに伴ってストリップ２１とも平行であることが維持される。
【００５８】
正確な芯出しのために、幾つかの実施形態には、中間手段２５と回転動作供給手段３０との間の相互同軸度を維持するための標準手段が備えられる。
【００５９】
具体的に、図２で示す実施形態においては、標準手段は２つの異なる芯出し手段２７で構成される。
【００６０】
図４ａ、４ｂ、４ｃで示すさらなる変形例においては、標準手段は芯出し及び位置決め手段１３４で構成される。本変形例においては、手段１３４には芯出し手段２７と、円周方向位置決め手段２８、さらには軸方向位置決め手段４３とが組み込まれる。
【００６１】
図２において、符号２７で示される第１のシステムは、連結手段２５と分配ディスク２３との雌雄接合から成る（連結手段２５又は分配ディスク２３上の雄部と一体となっても良い）。この場合、分配ディスク２３の中心軸周りの隆起１２３と、雌部となる連結手段２５の外側の縁部１２５との接合によって、雌雄接合と定められる。
【００６２】
芯出し手段は、分配ディスク２３と連結手段２５との同軸度を維持するが、これらの相互の位置決めが正確で一定であること、特に角度方向の位置決めが正確であることを維持しない。正確で一定な位置決めが各々の時間及び位置の調整、又は基準点設定に必要とされる。
【００６３】
上記の様に、相互の位置決めが一定であることを維持するために、この場合、精密なキー型である１種以上の位置決め手段２８が、ディスク２３と連結手段２５との間に備えられても良い。１つの変形例によると、例えば回転軸２９に対して偏心されたピンによる、ピン型の位置決め手段２８が備えられる。
【００６４】
１つの変形例によると、必須ではないが、ピン型の位置決め手段２８の場合には、可能な限り最良の精度を維持するために、最低でも２つのピンが回転軸２９から出来る限り遠方に配置されると有益である。１つの変形例によると、ピンは芯出し手段２７でも代替可能であり、その場合は偏心された芯出し手段２７が１つ備えられていればよい。
【００６５】
さらなる変形例によると、雌雄接合型の芯出し手段２７と協働する場合には、キーが１つ備えられていればよい。
【００６６】
ディスク２３の置換を目的とした、中間手段２５と動作供給手段３０との連結又は分離のために、分配ディスク２３に対して垂直に延びるように形成された支持面３１を介して、接合がもたらされる。
【００６７】
支持面３１と分配ディスク２３とが垂直に位置付けられることによって、整備作業及び取り外し作業は容易となる。
【００６８】
また一方、傾斜をつける、階段状とする等といった、他の位置付けも想定可能である。
【００６９】
図に示される実施形態のように、支持面３１が回転軸２９を含めば有益である。支持面３１自体はその側面方向の正確な位置決めと、支持平面に対する角度方向の位置決め、正確な同軸度、そして正確な垂直方向の位置決めのうち、いずれも維持しない。
【００７０】
これを維持することを目的として、固有の標準手段３４，１３４が備えられる。標準手段について、本発明の趣旨を明瞭とするために、図３ａ、３ｂ及び３ｃと、図４ａ、４ｂ及び４ｃとに、実施形態のうちの数例を示す。
【００７１】
標準手段３４，１３４と水平保持手段２６（この場合）との間隔４３は軸方向位置決め手段を構成する。
【００７２】
図３ａにおいて、標準手段３４には、それぞれに３５ａ、３５ｂ及び３５ｃと符号が与えられた３本のピン３５を有する。ピン３５は互いに三角形を成すように配置され、側面方向の位置決めと、同軸度、そして垂直方向の位置決めを維持し、回動を阻止する。
【００７３】
図３ｂにおいて、標準手段３４には、ピン３５ａ及びピン３５ｂの代わりに、較正キー３６が備えられる。その一方で、図３ｃにおいては較正キー３６及びピン３５ｃ代わりに、細長い要素３７と、要素３７の中点から垂直に延びる要素１３７（図４ａも参照）とから形成されるT字形状を有する芯出し及び位置決め手段３４によって、標準手段は構成される。
【００７４】
要素３４に備えられたＴ字形状は、垂直方向と、側面方向、さらには角度方向の接合精度をも維持する。
【００７５】
従って、この解決策によって２軸に対する精度と角度方向の精度が維持されるから、その他の位置決め手段を排除することが可能となる。
【００７６】
それ故、分配ディスク２３に手段２６，２８、又は１２５を備えずとも、中間手段２５に対して正確に位置決め出来るため、この解決策は格別に有益である。
【００７７】
さらに、図４ｂに最良に示されるように、前記芯出し及び位置決め手段１３４は、図３ｃと図４ａにおいてＴ字形状３４を有する上記標準手段と同様に、Ｔ字型の形状に構成されている。
【００７８】
要素３４と要素１３４は同一か又は類似するものとすることが可能であるため、作業を簡略化するという役目も果たす。
【００７９】
分配ディスク１３において、要素３４の雌部は有底状、又は貫通状のどちらも実施可能である。
【００８０】
貫通状ならば、雌部はシム材と協働可能である。シム材は、垂直方向の荷重のうち少なくともその一部を支持する役割を果たすために、低い摩擦係数を有する平板部を、その基部に有する。
【００８１】
シム材の代わりに、中間体２５内の雄要素１３７内部に孔１３２が備えられてもよい。孔１３２には荷重の少なくとも一部を支持する役割を果たすために、低い摩擦係数を有する平板が置かれる。
【００８２】
図に示される様に、中間手段２５と中間部材２５とを連結するために、取り付け手段３２が備えられ、取り付け手段３２のねじ穴は、ピン３５ｃ、又はＴ字形状を有す要素３４における下部方向への伸張部１３７の軸上に位置付けられる。取り付け手段３２は、取り外し可能なカバー４５を介して利用可能である。カバー４５は、分配ユニットの通常の動作の間、取り付け手段３２を隠す。
【００８３】
１つの変形例によると、組み立て作業を容易とするために、動作供給手段３０は、モーター手段３９に安定して（それでいて取り外し可能に）連結される２番目の中間部材３８を有する。モーター手段３９は、モーター減速機や、減速機に結合したモーターにすることが可能である。
【００８４】
中間部材３８とモーター手段３９の間には、例えばディスク２３と中間要素２５との間の第１芯出し手段２５に類似した雌雄接合型の手段である、第２芯出し手段４０が備えられる。この場合、第２芯出し手段４０は、角度方向位置決め手段１２８と垂直方向の位置決めを正確とする手段とを、それぞれ有する。
【００８５】
第２芯出し手段４０に関して言えば、第１芯出し手段２７について既に述べられたことが適用される。
【００８６】
モーター手段３９と中間部材３８との間の同軸度を維持するために、第２水平保持手段４２が備えられる。
【００８７】
特許請求の範囲によって定められる権利範囲を逸脱しない限りは、本発明へ修正又は変形がされても良い。
【図１】
2013523539.tif 000003
【図２】
2013523539.tif 000004
【図３ａ】
2013523539.tif 000005
【図３ｂ】
2013523539.tif 000006
【図３ｃ】
2013523539.tif 000007
【図４ａ】
2013523539.tif 000008
【図４ｂ】
2013523539.tif 000009
【図４ｃ】
2013523539.tif 000010
【図５】
2013523539.tif 000011
【手続補正書】
【提出日】平成24年12月4日(2012.12.4)
【手続補正１】
【補正対象書類名】明細書
【補正対象項目名】全文
【補正方法】変更
【補正の内容】
【書類名】明細書
【発明の名称】精密分配ユニット
【技術分野】
【０００１】
本発明は、分配ユニット及び従来の精密分配ユニットの改良技術に関する。本発明は、特にコンパクト型の分配ユニットに対して適用されるものであるが、その用途をこれに限るものではない。
【０００２】
本発明が言及する分配ユニットは、進行するストリップに予め配置された適切な胞状部（alveoli）や収容部へ、様々な形状と大きさを有する錠剤や丸剤、或いは他の類似した製品を絶え間なく分配すると共に配置する工業的用途に使用される。
【背景技術】
【０００３】
分配ユニットは公知であり、コンパクト型の分配ユニットもまた公知である。これらは、例えば製薬業や食品業、或いは同様のニーズを持ったその他の業種のために、錠剤や丸剤をブリスター型の包装資材へと配置する際に用いられる。
【０００４】
上記分配ユニットは、上記錠剤に適した収容部を有する進行するストリップへ、錠剤を放出する動作が同期するように予め適切に制御された分配ディスクを用いる。
【０００５】
以後の記載において、錠剤という単語には、丸剤と、カプセル剤、及びその他の類似した又は同等の種別若しくは大きさを有す製品も含まれるとする。
【０００６】
また、コンパクト型の分配ユニットという単語は、例えば特許文献１に記載されている様な、コンパクトな形状を有するユニットを意味する。
【特許文献】
【０００７】
【特許文献１】国際公開第２００９／１１５４４５号A１
【発明の概要】
【発明が解決しようとする課題】
【０００８】
こうした分配ユニットは、通常の整備に要する介入時間の削減と、錠剤に最短の経路を移動させることによる摩耗の可能な限りの低減と、そしてユニットの大きさと消費エネルギーの低減を目的とし、相当数の生産量を維持すべく、幅広い種類又は形状を有する錠剤に対して動作するように研究開発されている。
【０００９】
こうした特徴ゆえに、基本的な調節が長期間に渡って安定した状態を保たなければならないし、生産工程へ与える影響を微小とすべく、定期的な調節（例えば定期的な基準点設定（zero setting means））は、それ以上の制御と調整作業を行わずとも実行される必要がある。
【００１０】
コンパクト型の分配ユニットにおいては、ユニットが占める大きさの低減と、微調整のための介入、調節、そして制御を短時間で実行することを両立するのは、予めプラグラムでもされていない限り、難しい。
【００１１】
従って、コンパクト型の分配ユニットには、そうした特徴ゆえに、正確な動作を可能とし、生産能力を維持し、そして起動も容易かつ迅速に行えるという目的を果たすべく、新しい方法で構成要素を着想し作り出す必要がある。
【００１２】
多数の新しい解決策、即ち、異なる方法で着想と適用がなされた解決策を、長期に渡って試験及び実験した末に、本出願人は、特別な基準点設定の制御を必要とせずとも、分配ディスクを容易に取り外しかつ迅速で安全に交換することが依然として可能でありながら、一定の高い性能は言うまでもなく、機能性と効率性とを備え、さらには整備の手間をも削減した、本発明に係る分配ユニットを作る着想の完成に至った。
【００１３】
特に、本出願人は、分配ディスクが迅速かつ容易に交換されなければならないと同時に、特別の注意や一定の介入をせずとも、単に自動的に基準点再設定される毎の応答が一定であるだけではなく、平面性や、高さ方向の位置決め、微調整作業の所要時間、そして基準点設定が一定であるという特徴を維持していなければならないことを見出した。常にというわけではないが、通常このようなユニットにおいては、基準点再設定は電動式であるということには留意しなければならない。
【００１４】
基準点再設定とは、分配ディスクと協働し同調する他の構成要素に対する、分配ディスクの、時間及び位置の調整や、初期状態における相互位置の位置決めを意味する。
【００１５】
問題となっている型の分配ディスクには、円周方向に複数の列を成す孔が備えられている。編成され、かつ予め適切に配置された孔は、取り扱われる錠剤の形状に応じた形状と大きさを有する。編成された孔は、分配ディスク上に放射状に配列されている。
【００１６】
電気的な基準点設定の場合、即ち電気システムを用いた時間及び位置の調整の場合は、ディスクは通常、ある円周方向に沿って、特定の時刻におけるディスクの位置の検出を可能とする手段を有する。この手段は、例えば穴部、突起部、楔部などであってもよい。
【００１７】
基準点設定の手段は、錠剤の一時的な収容部として編成された孔と、幾何学的に相似になるような比率で備えられる。それゆえ、こうした構成の場合には、基準点設定の手段となる孔の位置が、錠剤を一時的に収容するための孔による、放射方向に編成された列の位置決めとなる。
【００１８】
従って、本出願人は、起動の度に通常は機械的に実行される上述の自動的な基準点再設定は別として、分配ディスクの迅速な取り付けと取り外し作業を、それ以上の設定と調節をせずとも可能とする、分配ディスクに連結されたシステムの実現を目標とした。
【００１９】
分配ディスクは、錠剤が載置される収容部や胞状部が表面上に形成されたストリップによる直線上の進行と、同調する速度でモーター部材により回転するように製作されている。
【００２０】
ストリップには、予め定められた方法で、ブリスター部とも呼ばれる胞状部が配列される連続的な区分が編成されている。
【００２１】
調整は、分配ディスクに存在する一時的な収容部の位置が、進行するストリップに存在する胞状部と、随時一致することを必要とする。
【００２２】
必須ではないが、モーター部材が分配ディスクに振動機能も付与するようにしていれば、分配ディスクは分配ディスク上に編成された孔に錠剤を正確に配置するという用途にも寄与するため、有益となる。さらに、錠剤の大きさに拘わらず、分配ディスク自身も、胞状部を含む上記ストリップに対して、正確かつ望ましい精度で、同一平面上に位置決めされなければならない。
【００２３】
加えて、分配ディスクが置き換えられた後、動作をもたらす軸は、基準点再設定を成し遂げる働きをする標準手段に対して、正確に位置決めされなければならない。
【００２４】
このことは、分配ディスクの置換作業において、その度毎に必ず、胞状部を含むストリップと分配ディスクに動作をもたらす部材の両者に対してディスクが正確に位置決めされることが、常に、そしてあらゆる場合において、維持されなければならないことを意味する。
【００２５】
本発明は、こうした問題の全てと後述される他の問題を解決し、迅速かつ正確であると同時に、基準点設定は別として、それ以上の微調整を必要とせずとも、分配ディスクの正しい位置決めを可能とする分配ディスクの置換を達成し得る提案を行う。
【００２６】
本出願人は、上述の従来技術の問題点を克服しこれら及びその他の目的及び利点を得るために、本発明を発案、試験及び具体化した。
【課題を解決するための手段】
【００２７】
本発明は、独立請求項に記載されると共に特徴付けられ、従属請求項において本発明の他の特徴或いは主な発明の趣旨についての変形例が記載されている。
【００２８】
本発明に係る精密分配ユニットは、当該ユニットがコンパクト型であるか否かを問わず、進行するストリップに編成された胞状部に、錠剤や丸剤、或いは類似した製品を、絶え間なく移送すると共に配置することに適している。ストリップの進行によってもたらされる胞状部は、通常は分配ディスクに放射状に編成されて配設される孔と随時同調する。分配ディスクは、これと協働し同調する他の構成要素に対する、分配ディスクの時間及び位置の調整や、初期状態における相互位置の位置決めに適した基準点設定手段を有する。  
【００２９】
分配ディスクは、回転動作供給手段によって回転するように製作されている。回転動作供給手段と分配ディスクの間には、お互いに独立した１種又は数種の要素からなり、分配ディスクの迅速な取り外しや取り付けを可能とする、中間連結手段が存在する。
【００３０】
上記中間連結手段は、分配ディスクに安定に連結される一方で、回転動作供給手段には着脱自在に連結されている。
【００３１】
本発明によると、通常用いられる取り付け手段（例えばねじ）と同様に、分配ディスクを、以後の記載においては中間手段とも呼ばれる、中間連結手段に一体となるように取り付けるための、芯出し手段も備えられている。
【００３２】
上記芯出し手段によって、分配ディスクは中間手段に対して所望かつ一定の位置に束縛される。この所望かつ一定の位置とは、分配ディスクと中間手段の同軸度が維持され、動作供給手段を通じて中間手段にもたらされる動作が分配ディスクと同軸となる位置を指す。
【００３３】
１つの変形例によれば、回転軸に直交する平面上を分配ディスクが回転することを維持する、水平保持手段が存在する。
【００３４】
特に、水平保持手段は、分配ディスクの回転軸が、分配ディスクの回転面と完全に直交することを維持する働きをする。
【００３５】
さらなる変形例においては、 分配ディスクの中間手段に対する正確な位置決めに寄与する位置決め手段が備えられる。
【００３６】
この位置決め手段は、分配ディスク（の錠剤を一時的に収容する孔の径方向の位置）と中間手段との相互位置が寸分違わず一定であることを維持する働きをする。
【００３７】
１つの変形例によれば、ディスクがストリップに対して、所望で必要とされる垂直方向の位置に常にあることを維持する、軸方向位置決め手段も備えられる。
【００３８】
他の変形例によれば、ディスクが回転軸に直交する１つの平面上を回転し、分配ディスクが胞状部を含むストリップに対して所望で必要とされる垂直方向の位置に自身を位置決めし、分配ディスクの回転軸と動作供給手段の回転軸とが一致し、そして分配ディスクに編成された一連の孔が中間手段に対して所望の幾何学的手法で位置決めされることが維持されるように、この水平保持手段は、位置決め手段、芯出し手段、軸方向位置決め手段のうちの１つ以上と結び付けることが出来る。
【００３９】
本発明によると、中間手段は動作供給手段に着脱自在に、ただし標準手段を介して連結される。この標準手段は、相互の同軸度を維持し、側面方向と角度方向の両方又はいずれか一方への傾きを阻止し、水平保持手段と協働し、分配ディスクの垂直方向の正確な位置決めと分配ディスクの動作供給手段に対する同軸度の両者を維持する。
【００４０】
１つの変形例によれば、中間手段は、胞状部を保持するストリップに対して、分配ディスクが垂直方向に望ましく正確な位置にあることを維持する、垂直方向位置決め手段を有する。
【００４１】
１つの変形例によれば、動作供給部材が、モーター手段と中間手段とを仲介する中間部材となる。
【００４２】
本変形例においては、動作供給部材は、中間手段を連結する連結手段の垂直方向の位置決めだけではなく、正確な同軸度も維持する手段によって、モーター手段に連結されなければならない。
【００４３】
これは、正確な同軸度を維持する手段は、上記の条件を維持する、支持手段及び芯出し手段を有してなければならないことを意味する。
【００４４】
さらなる変形例によれば、自動的な基準点再設定の正確さを維持するために、動作供給部材とモーター手段との間に、一連の動作を幾何学的に位置決めする、角度方向の相互位置決め手段が備えられている。
【００４５】
さらなる変形例によれば、動作供給部材が中間手段に、ねじ又は他の迅速で容易に取替え可能な手段で有益となるように連結されている。
【図面の簡単な説明】
【００４６】
【図１】図１は、公知であるコンパクト型の分配ユニットを示す。
【図２】図２は、分配ディスクに動作を供給する機構の垂直方向の部分断面図を概略的に示す。
【図３ａ】図３ａは、標準手段を示す。
【図３ｂ】図３ｂは、異なる型の標準手段を示す。
【図３ｃ】図３ｃは、異なる型の標準手段を示す。
【図４ａ】図４ａは、実施可能な中間手段を示す。
【図４ｂ】図４ｂは、図４ｃの中間手段の底面図を示す。
【図４ｃ】図４ｃは、図４ａと図４ｂの中間手段の断面図を示す。
【図５】図５は実施可能な分配ディスクを示す。
【発明を実施するための形態】
【００４７】
１例として、上記添付図面を用いて特定の実施形態を参照し、本発明のこれら及びその他の特徴を詳細に説明する。
【００４８】
図１によると、国際公開第２００９／１１５４４５号A１に示されて説明されている型に例示される様な、分配ディスク２３を備えたコンパクト型の分配ユニット１０が示されている。
【００４９】
以下の説明は、コンパクト型の分配ユニットの場合についての説明であるが、通常の型の分配ユニットについても及び得る。
【００５０】
分配ディスク２３は、複数の胞状部２２を有すストリップ２１と協働し、ストリップ２１が矢印Ａに沿って進行して分配ディスク２３を通過した後には、胞状部２２（alveoli）は錠剤２２ｐで満たされる。
【００５１】
図１から見て取れるように、ユニット１０は非常にコンパクトであり、その結果ユニットが占める容積は低減され、錠剤の移動距離は最短となり、錠剤の摩耗を可能な限り低減することが出来る。一時的な位置決めを行う適切な手段によって、分配ディスク２３の交換作業は容易になる。
【００５２】
図２はストリップの案内機構２０の垂直断面図を概略的に示す。ストリップ２１には、案内機構２０上の、矢印Ａに沿った方向へのスライド移動が、公知の方法によってもたらされる。分配ディスク２３は、錠剤を一時的に収容するための、列を成すように編成された孔２４を有し、ストリップ２１の進行と同調するように回転する。その結果、編成された孔２４の径方向の並びと、胞状部２２は、一定の周期で所望の相互位置に位置付けられる。このようにして、錠剤は分配ディスク２３の下流に当たる胞状部２２に配置され、胞状部２２は錠剤２２ｐで満たされる。
【００５３】
胞状部２２の大きさと並びに応じて、分配ディスク２３は低速又は高速で回転する。
【００５４】
分配ディスク２３には基準点設定手段４１（zero setting means）が備えられる。この場合、基準点設定手段４１は、円周方向に配置された穴部であり（図５参照）、分配ディスク２３の位置の感知と、時間及び位置の調整、そして基準点設定に用いられる。しかし、基準点設定手段４１は様々な形態をとることが可能である。
【００５５】
分配ディスク２３は、標準的なねじ（図示せず）によってボルト穴４４と協働して、中間連結手段２５に一体となるように取り付けられる。そして以下でより詳細に説明されるように、中間連結手段２５の働きによって、分配ディスク２３は、一般的には図２の符号３０に示される回転動作供給手段に着脱自在に連結される。
【００５６】
標準的なねじによって分配ディスク２３が中間連結手段２５に一体となるように取り付けられるが、このねじによる取り付けでは、相互の位置決めが正確で一定であることが維持されない。
【００５７】
必ずしもというわけではないが、一般的に分配ディスク２３は、大きな厚みがなく、２ミリメートル又は３ミリメートル程の厚みしかないことに留意すべきである。
【００５８】
分配ディスク２３とストリップ２１の比が正確であることを維持するために、支持面を有する水平保持手段２６−１２６が備えられる。水平保持手段２６−１２６によって、分配ディスク２３の配置面と回転面が、ストリップ２１がスライド移動を行う平面と平行であり、それに伴ってストリップ２１とも平行であることが維持される。
【００５９】
正確な芯出しのために、幾つかの実施形態には、中間連結手段２５と回転動作供給手段３０との間の相互同軸度を維持するための標準手段が備えられる。
【００６０】
具体的に、図２で示す実施形態においては、標準手段は２つの異なる芯出し手段２７で構成される。
【００６１】
図４ａ、４ｂ、４ｃで示すさらなる変形例においては、標準手段は芯出し及び位置決め手段１３４で構成される。本変形例においては、芯出し及び位置決め手段１３４には芯出し手段２７と、円周方向位置決め手段２８、さらには軸方向位置決め手段４３とが組み込まれる。
【００６２】
図２において、符号２７で示される第１の種類の芯出し手段は、連結手段２５と分配ディスク２３との雌雄接合から成る（中間連結手段２５又は分配ディスク２３上の雄部と一体となっても良い）。この場合、分配ディスク２３の中心軸周りの隆起１２３と、雌部となる中間連結手段２５の外側の縁部１２５との接合によって、雌雄接合と定められる。
【００６３】
芯出し手段は、分配ディスク２３と中間連結手段２５との間の同軸度を維持するが、これらの相互の位置決めが正確で一定であること、特に角度方向の位置決めが正確であることを維持しない。正確で一定な位置決めが各々の時間及び位置の調整、又は基準点設定に必要とされる。
【００６４】
上記の様に、相互の位置決めが一定であることを維持するために、この場合、精密なキー型である１種以上の円周方向位置決め手段２８が、分配ディスク２３と中間連結手段２５との間に備えられても良い。１つの変形例によると、例えば回転軸２９に対して偏心されたピンによる、ピン型の円周方向位置決め手段２８が備えられる。
【００６５】
１つの変形例によると、必須ではないが、ピン型の円周方向位置決め手段２８の場合には、可能な限り最良の精度を維持するために、最低でも２つのピンが回転軸２９から出来る限り遠方に配置されると有益である。１つの変形例によると、ピンは芯出し手段２７でも代替可能であり、その場合は偏心された芯出し手段２７が１つ備えられていればよい。
【００６６】
さらなる変形例によると、雌雄接合型の芯出し手段２７と協働する場合には、キーが１つ備えられていればよい。
【００６７】
分配ディスク２３の置換を目的とした、中間連結手段２５と動作供給手段３０との連結又は分離のために、分配ディスク２３に対して垂直に延びるように形成された支持面３１を介して、接合がもたらされる。
【００６８】
支持面３１と分配ディスク２３とが垂直に位置付けられることによって、整備作業及び取り外し作業は容易となる。
【００６９】
また一方、傾斜をつける、階段状とする等といった、他の位置付けも想定可能である。
【００７０】
図に示される実施形態のように、支持面３１が回転軸２９を含めば有益である。支持面３１自体はその側面方向の正確な位置決めと、支持平面に対する角度方向の位置決め、正確な同軸度、そして正確な垂直方向の位置決めのうち、いずれも維持しない。
【００７１】
これを維持することを目的として、幾つかの実施形態においては、固有の標準手段３４，１３４が備えられる。標準手段について、本発明の趣旨を明瞭とするために、図３ａ、３ｂ及び３ｃと、図４ａ、４ｂ及び４ｃとに、実施形態のうちの数例を示す。
【００７２】
標準手段３４，１３４と水平保持手段２６（この場合）との間隔は軸方向位置決め手段４３を構成する。
【００７３】
図３ａにおいて、標準手段３４には、それぞれに３５ａ、３５ｂ及び３５ｃと符号が与えられた３本のピン３５を有する。ピン３５は互いに三角形を成すように配置され、側面方向の位置決めと、同軸度、そして垂直方向の位置決めを維持し、回動を阻止する。
【００７４】
図３ｂにおいて、標準手段３４には、ピン３５ａ及びピン３５ｂの代わりに、較正キー３６が備えられる。その一方で、図３ｃにおいては較正キー３６及びピン３５ｃ代わりに、細長い要素３７と、要素３７の中点から垂直に延び接合の際雄部となる要素１３７（図４ａも参照）とから形成されるT字形状を有する芯出し及び位置決め手段３４によって、標準手段は構成される。
【００７５】
芯出し及び位置決め手段３４に備えられたＴ字形状は、垂直方向と、側面方向、さらには角度方向の接合精度をも維持する。
【００７６】
従って、この解決策によって２軸に対する精度と角度方向の精度が維持されるから、その他の位置決め手段を排除することが可能となる。
【００７７】
それ故、分配ディスク２３に手段２６，２８、又は外側の縁部１２５を備えずとも、中間連結手段２５に対して正確に位置決め出来るため、この解決策は格別に有益である。
【００７８】
さらに、図４ｂに最良に示されるように、前記芯出し及び位置決め手段１３４は、図３ｃと図４ａにおいてＴ字形状を有する上記標準手段３４と同様に、Ｔ字型の形状に構成されている。
【００７９】
芯出し及び位置決め手段３４と芯出し及び位置決め手段１３４は同一か又は類似するものとすることが可能であるため、作業を簡略化するという役目も果たす。
【００８０】
分配ディスク２３において、芯出し及び位置決め手段３４の雌部は有底状、又は貫通状のどちらも実施可能である。
【００８１】
貫通状ならば、雌部はシム材と協働可能である。シム材は、垂直方向の荷重のうち少なくともその一部を支持する役割を果たすために、低い摩擦係数を有する平板部を、その基部に有する。
【００８２】
シム材の代わりに、中間連結手段２５内の雄要素１３７内部に孔１３２が備えられてもよい。孔１３２には荷重の少なくとも一部を支持する役割を果たすために、低い摩擦係数を有する平板が置かれる。
【００８３】
図に示される様に、中間連結手段２５と中間部材３８とを連結するために、可動取り付け手段３２が備えられ、可動取り付け手段３２のねじ穴は、ピン３５ｃ、又はＴ字形状を有す芯出し及び位置決め手段３４における下部方向への伸張部であり雄部となる要素１３７の軸上に位置付けられる。可動取り付け手段３２は、取り外し可能なカバー４５を介して利用可能である。カバー４５は、分配ユニットの通常の動作の間、可動取り付け手段３２を隠す。
【００８４】
１つの変形例によると、組み立て作業を容易とするために、動作供給手段３０は、モーター手段３９に安定して（それでいて取り外し可能に）連結される中間部材３８を有する。モーター手段３９は、モーター減速機や、減速機に結合したモーターにすることが可能である。
【００８５】
中間部材３８とモーター手段３９の間には、例えば分配ディスク２３と中間連結手段２５との間の第１芯出し手段２７に類似した雌雄接合型の手段である、第２芯出し手段４０が備えられる。この場合、第２芯出し手段４０は、角度方向位置決め手段１２８と垂直方向の位置決めを正確とする手段とを、それぞれ有する。
【００８６】
第２芯出し手段４０に関して言えば、第１芯出し手段２７について既に述べられたことが適用される。
【００８７】
モーター手段３９と中間部材３８との間の同軸度を維持するために、第２水平保持手段が備えられてもよい。
【００８８】
特許請求の範囲によって定められる権利範囲を逸脱しない限りは、本発明へ修正又は変形がされても良い。
【手続補正２】
【補正対象書類名】特許請求の範囲
【補正対象項目名】全文
【補正方法】変更
【補正の内容】
【特許請求の範囲】
【請求項１】
進行するストリップ（２１）に編成された胞状部（２２）へ錠剤や丸薬を連続的に移送して配置するために働き、当該ストリップ（２１）の進行によって当該胞状部（２２）は分配ディスク（２３）の径方向に配設される孔（２４）と随時同調し、当該分配ディスクは基準点設定手段（４１）を有する精密分配ユニット（１０）において、
上記分配ディスク（２３）は、中間手段（２５）を介して回転動作供給手段（３０；３８，３９）に結び付けられ、
上記中間連結手段（２５）は、上記分配ディスク（２３）と安定に連結される一方で当該動作供給手段（３０；３８，３９）とは着脱自在に連結されることを特徴とする精密分配ユニット。
【請求項２】
請求項１に記載のユニットにおいて、
上記中間連結手段（２５）と上記回転動作供給手段（３０；３８，３９）との相互の同軸度を維持する標準手段を備えていることを特徴とする精密分配ユニット。
【請求項３】
請求項１又は２に記載のユニットにおいて、
上記分配ディスク（２３）と上記中間連結手段（２５）とを安定に連結する手段は、
少なくとも１つの芯出し手段（２７）、及び／又は水平保持手段（２６−１２６）、及び／又は円周方向位置決め手段（２８）を含み、軸方向位置決め手段（４３）とも協働することを特徴とする精密分配ユニット。
【請求項４】
請求項１又は２に記載のユニットにおいて、
上記分配ディスク（２３）と上記中間連結手段（２５）とを安定に連結する手段は、
水平保持手段（２６−１２６）と、
Ｔ字形状を有し雌雄接合される芯出し及び位置決め手段（３４，１３４）とを有することを特徴とする精密分配ユニット。
【請求項５】
請求項１又は２に記載のユニットにおいて、
上記動作供給手段（３０；３８，３９）に着脱自在に連結される手段は、
回転軸を含む少なくとも１つの支持面（３１）と、
芯出し及び位置決め手段（３４，１３４）と、
そして軸方向位置決め手段（４３）と協働する移動可能な取り付け手段（３２）とを備えていることを特徴とする精密分配ユニット。
【請求項６】
請求項２に記載のユニットにおいて、
上記標準手段は、Ｔ字形状を有する芯出し及び位置決め手段（３４，１３４）であることを特徴とする精密分配ユニット。
【請求項７】
特定の円周に沿って径方向に配設され、必要に応じて編成されて特定される複数の孔（２４）を有し、位置を検出して基準点設定を行う手段（４１）と結び付けられた、請求項１から６のいずれか１つに記載の精密分配ユニットに用いられる分配ディスクであって、
上記分配ディスク（２３）は、中間連結手段（２５）に安定した方法で一時的に結合され、
上記分配ディスク（２３）は、芯出し手段（２７）、及び／又は水平保持手段（２６）、及び／又は円周方向位置決め手段（２８）を有し、又はこれらと協働することを特徴とする分配ディスク。
【請求項８】
特定の円周に沿って径方向に配設され、必要に応じて編成されて特定される複数の孔（２４）を有し、位置を検出して基準点設定を行う手段（４１）と結び付けられた、請求項１から６のいずれか１つに記載の精密分配ユニットに用いられる分配ディスクであって、
上記分配ディスク（２３）は、中間連結手段（２５）に安定した方法で一時的に結合され、 
上記分配ディスク（２３）は、水平保持手段（２６）を有し、雌部であるＴ字形状を有する芯出し及び位置決め手段（３４，１３４）に結合されることを特徴とする分配ディスク。
【請求項９】
請求項７に記載の分配ディスクにおいて、
上記芯出し手段（２７）は雌雄接合型であることを特徴とする分配ディスク。
【請求項１０】
請求項７に記載の分配ディスクにおいて、
上記位置決め手段（２８）は、適切な収容部を有する少なくとも１つのピン又はキーからなることを特徴とする分配ディスク。
【請求項１１】
請求項７から１０のいずれかに記載の分配ディスクにおいて、
上記水平保持手段（２６）は、上記分配ディスク（２３）の配置面と回転面が、上記ストリップ（２１）がスライド移動する平面、及び当該ストリップ（２１）自身と平行であることを維持する、少なくとも１つの支持面からなることを特徴とする分配ディスク。
【請求項１２】
請求項７から１１のいずれかに記載の分配ディスク（２３）と結び付けられるに適した、請求項１から６のいずれかに記載の精密分配ディスクに用いられる中間連結手段であって、
上記中間連結手段は雌雄接合型である芯出し手段（２７）を備えることを特徴とする中間連結手段。
【請求項１３】
請求項１２に記載の中間連結手段において、
上記中間連結手段は軸方向位置決め手段（４３）を備えることを特徴とする中間連結手段。
【請求項１４】
請求項１２又は１３に記載の中間連結手段において、
上記中間連結手段は平面支持手段（３１，１２６）を備えることを特徴とする中間連結手段。
【請求項１５】
請求項１２から１４のいずれかに記載の中間連結手段において、
上記中間手段は、適切な収容部を備えた少なくとも１つのピン及び／又はキーからなる円周方向位置決め手段（２８）を有することを特徴とする中間連結手段。
【請求項１６】
請求項１２から１５のいずれかに記載の中間連結手段において、
上記中間連結手段は、回転動作供給手段（３０；３８，３９）との相互の同軸度を維持する標準手段を備えていることを特徴とする中間連結手段。
【請求項１７】
請求項１６に記載の中間手段において、
上記標準手段は、Ｔ字形状を有する芯出し及び位置決め手段（３４，１３４）を備えていることを特徴とする中間連結手段。
【請求項１８】
請求項１４に記載の中間連結手段において、
上記平面支持手段（３１，１２６）は、回転軸（２９）と協働することを特徴とする中間連結手段。
【請求項１９】
請求項１６に記載の中間連結手段において、
上記標準手段は、少なくとも２つのピン（３５）を有する芯出し及び位置決め手段（３４）であることを特徴とする中間連結手段。
【請求項２０】
請求項１６に記載の中間連結手段において、
上記標準手段は、少なくとも１つの較正キーを有することを特徴とする中間連結手段。
【請求項２１】
請求項１６に記載の中間連結手段において、
上記標準手段は、孔（４４）からなる芯出し及び位置決め手段（３４，１３４）であることを特徴とする中間連結手段。
【請求項２２】
請求項１２から２１に記載のいずれかに記載の中間連結手段において、
上記中間手段は、動作供給手段（３０）の一部である中間部材（３８）に、安定かつ精密な方法で一時的に連結されることを特徴とする中間連結手段。
【国際調査報告】
2013523539.tif 000012
2013523539.tif 000013